(57)【要約】【課題】簡単かつ短時間で電源側ケーブルと負荷側ケーブルとを機械的および電気的に接続可能で、しかも、直径が異なる電源ケーブル同士の連結も可能な電力ケーブル接続部の接続構造を提供する。【解決手段】ロック溝部２７にロックビス２８を挿入し、ロックスリーブ１８を、雌コネクタ１２と雄コネクタ１３との接続部分の周りに９０°だけ回動させることで、下側の幹線ケーブル１１と上側の幹線ケーブル１１とが接続されるような電力ケーブル接続部の接続構造１０としたので、簡単かつ短時間で両ケーブル１１を機械的および電気的に接続することができ、しかも直径が異なるケーブル１１同士の連結も可能である。【選択図】図１
2007317408.tif 000002
【特許請求の範囲】
【請求項１】
電源側ケーブルの導体に連結された電源側コネクタと、負荷側ケーブルの導体に連結された負荷側コネクタとの接続部分に、ロックスリーブを軸線回りに所定角度回動させて装着することで接触子を介して、両ケーブルを機械的・電気的に接続する電力ケーブル接続部の接続構造であって、
前記両コネクタのうち、何れか一方に前記ロックスリーブが取り付けられるとともに、該ロックスリーブの内周側にはロック突起が設けられ、
前記両コネクタのうち、残った方の外周側には、前記ロック突起が摺動可能に掛合されるロック溝部が設けられた電力ケーブル接続部の接続構造。
【請求項２】
前記ロック溝部は、
該ロック溝部が設けられたコネクタのうち、前記ロックスリーブ側の端面に形成された溝口と、
該溝口と先端部が連通され、かつ前記ロック突起を前記ロックスリーブの軸線方向へ移動可能な縦溝部分と、
該縦溝部分の奥部と連通され、かつ前記ロック突起を前記ロックスリーブの軸線回りに回動可能な横溝部分とを有した請求項１に記載の電力ケーブル接続部の接続構造。
【請求項３】
前記両コネクタの少なくとも一方には、前記ロック突起を、前記ロック溝部の内壁に弾性的に押し付ける突起押し付け手段が設けられた請求項１または請求項２に記載の電力ケーブル接続部の接続構造。
【請求項４】
電源側ケーブルの導体に連結された電源側コネクタと、負荷側ケーブルの導体に連結された負荷側コネクタとの接続部分の周りにロックスリーブを装着することで、接触子を介して両ケーブルを機械的・電気的に接続する電力ケーブル接続部の接続構造であって、
前記両コネクタのうち、何れか一方に前記ロックスリーブが取り付けられるとともに、該ロックスリーブの内周側には、ばね力の作用により、該ロックスリーブの内周側から常時一部が突出させられるボールまたはピンを有したプランジャが設けられ、
前記両コネクタのうち、残った方の外周側には、前記ボールの一部またはピンの一部が掛合される凹部が設けられた電力ケーブル接続部の接続構造。
【発明の詳細な説明】
【技術分野】
【０００１】
この発明は電力ケーブル接続部の接続構造、詳しくは例えば高層ビルの各フロアへ電気を供給する幹線において、上下配置された幹線ケーブル同士を電気的に接続する電力ケーブル接続部の接続構造に関する。
【背景技術】
【０００２】
高層ビル内には、各階へ電力を供給するため、鉛直方向へ延びる幹線が配されている。幹線は、一般的に任意の長さを有した複数本の幹線ケーブルを、順次、雄コネクタと雌コネクタとを掛合しながら電気的に接続して作製される。各幹線ケーブルの途中には、各階配線用の分岐配線が、幹線ケーブルの場合と同様に両コネクタを介して電気的に接続される。
【０００３】
ところで、幹線ケーブルのケーブル接続部の接続構造としては、従来、例えば特許文献１の幹線ケーブルの明細書中に開示されたものが知られている。これは、雌コネクタに螺合可能な袋ナットを、雄コネクタに回転可能に取り付けたものである。上下に隣接した各幹線ケーブルの端部間において、順次、袋ナットを雌コネクタに螺合することで、幹線ケーブル同士が電気的に接続されるように構成されている。
【特許文献１】特開２００５−５６６８７号公報
【発明の開示】
【発明が解決しようとする課題】
【０００４】
しかしながら、特許文献１の電力ケーブル接続部の接続構造では、前述したように袋ナットを雌コネクタに螺合するねじ込み方式を採用していた。そのため、隣接する上下の幹線ケーブル同士を接続する場合や、その後、何らかの理由でケーブルを交換する場合には、袋ナットを何回も回転させなければならず、その作業が面倒で、ケーブル間の接続に要する作業時間も長くなっていた。
【０００５】
この発明は、簡単かつ短時間で電源側ケーブルと負荷側ケーブルとを機械的および電気的に接続することができ、しかも直径が異なる電源ケーブル同士の連結も可能な電力ケーブル接続部の接続構造を提供することを目的としている。
この発明は、ロック突起がロック溝部から抜け難い電力ケーブル接続部の接続構造を提供することを目的としている。
この発明は、電源側ケーブルと負荷側ケーブルとの良好な機械的・電気的接続状態を保持することができる電力ケーブル接続部の接続構造を提供することを目的としている。
この発明は、ロックスリーブを回転させなくても両ケーブルの機械的および電気的な接続が可能な電力ケーブル接続部の接続構造を提供することを目的としている。
【課題を解決するための手段】
【０００６】
請求項１に記載された発明は、電源側ケーブルの導体に連結された電源側コネクタと、負荷側ケーブルの導体に連結された負荷側コネクタとの接続部分に、ロックスリーブを軸線回りに所定角度回動させて装着することで接触子を介して、両ケーブルを機械的・電気的に接続する電力ケーブル接続部の接続構造であって、前記両コネクタのうち、何れか一方に前記ロックスリーブが取り付けられるとともに、該ロックスリーブの内周側にはロック突起が設けられ、前記両コネクタのうち、残った方の外周側には、前記ロック突起が摺動可能に掛合されるロック溝部が設けられた電力ケーブル接続部の接続構造である。
【０００７】
請求項１に記載の発明によれば、ロック突起をロック溝部に挿入した状態で、ロックスリーブを、電源側コネクタと負荷側コネクタとの接続部分の周りに所定角度だけ回動させる。これにより、ロック突起がロック溝部に掛合され、両コネクタが接触子を介し電気的に接続される。その結果、簡単かつ短時間で両ケーブルの機械的および電気的な接続を完了することができる。
【０００８】
電源側ケーブルとは、互いに接続される電力ケーブル間において、比較して電源側に配置された電力ケーブルをいい、負荷側ケーブルとは、互いに連結される電力ケーブル間において、比較して負荷側に配置される電力ケーブルをいう。
【０００９】
電源側コネクタおよび負荷側コネクタは、何れの方が雄コネクタでもよいし、雌コネクタでもよい。
ロックスリーブとは、電源側コネクタと負荷側コネクタとの周りを被う機械的強度を有した円筒形状の部材である。
ロックスリーブの素材としては、例えばＳＵＳ、鋼などを採用することができる。
両コネクタを接続するために必要なロックスリーブの軸線回り（スパイラルを含む）への回動角度は任意である。例えば４５°でもよいし、９０°でもよい。
【００１０】
ロックスリーブが取り付けられるのは、電源側コネクタでもよいし、負荷側コネクタでもよい。
ロック突起の素材は任意である。ただし、接続部の機械的強度はＪＩＳなどの規格に準ずるものとする。
ロック突起の形状としては、例えばピン形状、板片形状などを採用することができる。ロックスリーブの内周側におけるロック突起の形成位置は任意である。
ロック溝部が設けられるコネクタは、ロックスリーブの取り付け側でない方のコネクタであれば、電源側コネクタでもよいし、負荷側コネクタでもよい。
ロック溝部は、Ｕ字溝でもよいし、Ｖ字溝でもよい。また、開口部が上を向いたコの字形状の溝でもよい。ロック溝部の奥部の内壁には、ロック突起を位置決めする凹部を設けてもよい。
【００１１】
請求項２に記載の発明は、前記ロック溝部は、該ロック溝部が設けられたコネクタのうち、前記ロックスリーブ側の端面に形成された溝口と、該溝口と先端部が連通され、かつ前記ロック突起を前記ロックスリーブの軸線方向へ移動可能な縦溝部分と、該縦溝部分の奥部と連通され、かつ前記ロック突起を前記ロックスリーブの軸線回りに回動可能な横溝部分とを有した請求項１に記載の電力ケーブル接続部の接続構造である。
【００１２】
請求項２に記載の発明によれば、溝口にロック突起を合わせた状態で、ロック溝部側のコネクタとロックスリーブとを互いに接近させる。これにより、ロック突起は溝口を経て縦溝部分へ侵入する。その後も、この移動をロック突起が縦溝部分の奥部に達するまで継続する。それから、ロックスリーブを軸線回りへ回動させ、ロック突起を横溝部分へ侵入させることにより接触子を介して両コネクタの接続が完了する。このように、ここではロック溝部をＬ字形状の溝部としている。そのため、ロック溝部からロック突起が抜け難い。
【００１３】
溝口の形状は、ロック溝の本体部分の形状と同じでもよいし、それとは異なってもよい。ただし、ロック突起の出し入れを容易にするため、ロック溝の本体部分より断面積が大きい方が好ましい。
縦溝部分および横溝部分の各長さは任意である。
【００１４】
請求項３に記載の発明は、前記両コネクタの少なくとも一方には、前記ロック突起を、前記ロック溝部の内壁に弾性的に押し付ける突起押し付け手段が設けられた請求項１または請求項２に記載の電力ケーブル接続部の接続構造である。
【００１５】
請求項３に記載の発明によれば、突起押し付け手段により、ロック溝部の内壁にロック突起を弾性的に押し付けるので、両コネクタは常時確実な接続状態となる。その結果、電源側ケーブルと負荷側ケーブルとの良好な機械的・電気的接続状態を確保することができる。
【００１６】
突起押し付け手段としては、例えば、コイルばねなどの各種のばね材の弾性力を利用したものでもよいし、空気などの気体の圧力を利用したものでもよい。
突起押し付け手段は、電源側コネクタに設けてもよいし、負荷側コネクタに設けてもよい。また、両コネクタにそれぞれ設けてもよい。
【００１７】
請求項４に記載の発明は、電源側ケーブルの導体に連結された電源側コネクタと、負荷側ケーブルの導体に連結された負荷側コネクタとの接続部分の周りにロックスリーブを装着することで、接触子を介して両ケーブルを機械的・電気的に接続する電力ケーブル接続部の接続構造であって、前記両コネクタのうち、何れか一方に前記ロックスリーブが取り付けられるとともに、該ロックスリーブの内周側には、ばね力の作用により、該ロックスリーブの内周側から常時一部が突出させられるボールまたはピンを有したプランジャが設けられ、前記両コネクタのうち、残った方の外周側には、前記ボールの一部またはピンの一部が掛合される凹部が設けられた電力ケーブル接続部の接続構造である。
【００１８】
請求項４に記載の発明によれば、ロックスリーブを、電源側コネクタと負荷側コネクタとの接続部分の周りに装着することで、プランジャのボールの一部またはピンの一部が凹部に掛合され、両コネクタが機械的・電気的に接続される。その結果、簡単かつ短時間で両ケーブルの機械的および電気的な接続を完了することができる。
このように、プランジャと凹部とを介して、ロックスリーブにより電源側コネクタと負荷側コネクタとを連結するように構成したので、ロックスリーブを回転させなくても両ケーブルの連結が可能となる。
【００１９】
プランジャは、回転体を所定の角度位置で位置決めする場合などに汎用される。具体的には、ボールの一部またはピンの一部を、ばね材のばね力により被位置決め部材に形成された位置決め凹部に掛止することで、被位置決め部材を位置決めするものである。
プランジャに使用されるばね材としては、例えばコイルばね、板ばねなどを採用することができる。
【発明の効果】
【００２０】
請求項１に記載の発明によれば、ロック溝部にロック突起を挿入し、ロックスリーブを、電源側コネクタと負荷側コネクタとの接続部分の周りに所定角度だけ回動させることで、両ケーブルが連結されるようにしたので、簡単かつ短時間で両ケーブルを機械的および電気的に接続することができる。しかも、直径が異なる電源ケーブル同士の連結も可能となる。
【００２１】
特に、請求項２に記載の発明によれば、ロック溝部を外観視してＬ字形状の溝部としたので、ロック溝部からロック突起を抜け難くすることができる。
【００２２】
また、請求項３に記載の発明によれば、突起押し付け手段により、ロック溝部の内壁にロック突起を弾性的に押し付けるように構成したので、電源側ケーブルと負荷側ケーブルとの良好な機械的接続状態を確保することができる。
【００２３】
請求項４に記載の発明によれば、プランジャと凹部とを介して、ロックスリーブにより電源側コネクタと負荷側コネクタとを連結するようにしたので、ロックスリーブを回転させなくても両ケーブルを機械的および電気的に接続することができる。
【発明を実施するための最良の形態】
【００２４】
以下、この発明の実施例を具体的に説明する。
【実施例１】
【００２５】
図２において、１０はこの発明の実施例１に係る電力ケーブル接続部の接続構造（接続構造体）で、この電力ケーブル接続部の接続構造１０は、高層ビルの所要階数分の長さを有した複数本の幹線ケーブル１１を順次上下に連結し、幹線を作製する際に利用される。各幹線ケーブル１１は心線（導体）１１ａを絶縁被覆１１ｂにより被ったもので（図１）、各幹線ケーブル１１には、その上部に雌コネクタ１２が連結される一方、その下部に雄コネクタ１３が連結される。また、各幹線ケーブル１１の途中部には、分岐モールド１４を通して、各階配線用の分岐配線１５が一定ピッチで３本接続されている。
【００２６】
以下、図１，図３および図４を参照して、電力ケーブル接続部の接続構造１０を詳細に説明する。
すなわち、電力ケーブル接続部の接続構造１０は、下側の幹線ケーブル１１（電源側ケーブル）の上部の導体１６に連結された銅合金製の雌コネクタ１２（電源側コネクタ）と、上側の幹線ケーブル１１（負荷側ケーブル）の下部の導体１７に連結された銅合金製の雌コネクタ１３（負荷側コネクタ）との接続部分の周りに、ＳＵＳ製のロックスリーブ１８を軸線回りに所定角度回動させて装着することで、両ケーブル１１を機械的・電気的に接続するものである。
【００２７】
雌コネクタ１２は管体で、軸線に沿って、元部から先部へ向かって順に導体孔１９、ばね収納孔２０および接続孔２１が配置されている。導体孔１９は、雌コネクタ１２の元部内に形成され、下側の幹線ケーブル１１の上部の導体１６が挿入され、図示しないカシメ装置によりカシメられている。導体１６は導体１７より大径である。
また、ばね収納孔２０は、雌コネクタ１２の長さ方向の中間部内に形成され、導体孔１９より小径で、その元側の開口部が孔栓２２により封止されている。ばね収納孔２０の先側の開口部には先細部２０ａが形成されている。ばね収納孔２０には、前記雄コネクタ１３の先端部に形成されたピン形状の接続端子２３を、雌コネクタ１２の先端方向へ押圧する押圧子２４が収納されている。この押圧子２４と前記孔栓２２との間のばね収納孔２０には、常時、押圧子２４の先部をばね収納孔２０の先側の開口部から前記接続孔２１へ付勢状態で突出させるコイルばね２５が収納されている。
【００２８】
押圧子２４は、そのベース部材が厚肉な円板で、ベース部材の表面の中央部に押圧ピン２６が突設された部材である。押圧子２４は、ばね収納孔２０の先側の開口部が先細部２０ａであるため、この部分にベース部が引っ掛かる。そのため、コイルばね２５のばね力によって押圧子２４がばね収納孔２０から飛び出すおそれはない。これらの孔栓２２、コイルばね２５および押圧子２４により、雌コネクタ１２に設けられて、後述するロック溝部２７の内壁にロックビス２８を弾性的に押し付ける突起押し付け手段２９が構成される。
【００２９】
接続孔２１は、雌コネクタ１２の先部内に、前記導体孔１９と略同じ直径で形成されている。接続孔２１には、前記雄コネクタ１３の接続端子２３が出し入れ自在に収納される。接続孔２１の長さ方向の中間部の内周壁には、雌コネクタ１２の先端部と雄コネクタ１３の接続端子２３とを電気的に接続する管状の接触子３０が堅固に挿入して取り付けられている。
雌コネクタ１２の先端部の外周側には、その周方向へ１８０°の位相部分に１対のロック溝部２７が形成されている。両ロック溝部２７は、雌コネクタ１２のうち、ロックスリーブ１８側の端面に形成された溝口２７ａと、溝口２７ａと先端部が連通され、かつロックビス２８をロックスリーブ１８の軸線方向へ移動可能な縦溝部分２７ｂと、縦溝部分２７ｂの奥部と連通され、かつロックビス２８をロックスリーブ１８の軸線回りに９０°だけ回動可能な横溝部分２７ｃとを有したＬ字形状の溝部である。しかも、横溝部分２７ｃの奥部のうち、溝口２７ａが形成された前記雌コネクタ１２の端面側には、ロックビス２８の位置決め凹部２７ｄが形成されている。横溝部分２７ｃの長さは、雌コネクタ１２の外径の約４分の１の長さを有している。
【００３０】
次に、雄コネクタ１３を詳細に説明する。
雄コネクタ１３は雌コネクタ１２より小径な円柱体で、元部内に軸線に沿った導体孔３１が形成されている。導体孔３１には、上側の幹線ケーブル１１の下部の導体１７が挿入されて、図示しないカシメ装置によりカシメられている。
雄コネクタ１３の中間部付近には、雌コネクタ１２の先部と略同じ直径の厚肉なフランジ３２が、雄コネクタ１３と同じ素材で一体形成されている。雄コネクタ１３のフランジ３２より先側部には、前記接続孔２１に挿入される接続端子２３が、雄コネクタ１３と同じ素材で一体形成されている。接続端子２３の直径は接続孔２１の直径と略同じで、接続端子２３の長さも接続孔２１の長さと略同じである。
【００３１】
ロックスリーブ１８は、両端面を貫通して管路３３が形成された厚肉な樽形状の管体である。管路３３のうち、ロックスリーブ１８の元側は、前記雄コネクタ１３の本体部分と略同じ直径である。また、管路３３のうち、ロックスリーブ１８の先側から中央部までは、前記雌コネクタ１２の先部および前記フランジ３２と略同じ直径を有している。ロックスリーブ１８の長さは、ロックスリーブ１８を雄コネクタ１３に取り付けた際、管路３３の先側の開口部に接続端子２３の先端が配置される長さである。
また、ロックスリーブ１８の胴部の軸線方向の中間部のうち、その周方向へ１８０°の位相部分に、１対のビス孔３４が形成されている。両ビス孔３４には、対応する前記ロック溝部２７に先部が挿入されるロックビス２８（ロック突起）の元部が、それぞれ螺合されている。そのため、両ロックビス２８の先部は管路３３へ突出している。
【００３２】
さらに、ロックスリーブ１８の胴部には、一方のビス孔３４の形成位置を基準として、ロックスリーブ１８の周方向へ９０°の位相位置に小径なねじ孔３５が形成されている。このねじ孔３５には、ロックスリーブ１８を雌コネクタ１２に固定する止めねじ３６が螺合されている。この止めねじ３６は省略してもよい。
図１および図２において、符号３７は電力ケーブル接続部の接続構造１０を外方から被う２分割された円筒形状の絶縁カバーである。
【００３３】
次に、電力ケーブル接続部の接続構造１０を適用し、下側の幹線ケーブル１１と上側の幹線ケーブル１１とを電気的に接続する方法を説明する。
図１〜図４に示すように、上下に隣接して配置された幹線ケーブル１１同士を連結（電気的および機械的に接続）する際には、まず溝口２７ａにロックビス２８を位置合わせする。次に、この状態を維持して雌コネクタ１２を鉛直に押し上げ、雌コネクタ１２とロックスリーブ１８とを徐々に接近させる。これにより、雌コネクタ１２の先端部がロックスリーブ１８の管路３３に侵入すると同時に、接続端子２３が接続孔２１に徐々に挿入される。しかも、ロックビス２８が溝口２７ａを通して縦溝部分２７ｂへ侵入して行く。その後、この移動（近接）をロックビス２８が縦溝部分２７ｂの奥部に達するまで継続する。その結果、コイルばね２５のばね力に抗して、接続端子２３の先端部が押圧ピン２６をばね収納孔２０へ押し込み、接続端子２３が根元まで接続孔２１に挿入される。これにより、接続端子２３と接触子３０とが接触し、雌コネクタ１２と雄コネクタ１３とが電気的に接続される。
【００３４】
次に、ロックスリーブ１８をロック溝部２７の屈曲側へ９０°だけ回動させ、ロックビス２８を横溝部分２７ｃへ侵入させる。なお、ロックスリーブ１８を４５°だけ回動させるように構成してもよい。そして、最終的にはロックビス２８を位置決め凹部２７ｄに掛止する。
その後、雌コネクタ１２のロックスリーブ１８への押し込み力を解除すると、押圧子２４の押圧ピン２６を介して、接続端子２３を接続孔２１から押し出す方向へのコイルばね２５のばね力が作用する。これにより、対応するロックビス２８の先部が、位置決め凹部２７ｄの内壁に大きな力で押し付けられる。その結果、両コネクタ１２，１３は常に確実な連結状態となる。よって、下側の幹線ケーブル１１と上側の幹線ケーブル１１との良好な機械的・電気的接続状態が確保される。
【００３５】
こうして、両ケーブル１１同士の機械的な連結と、電気的な接続とが完了する。図外の電源からの電力は、下側の幹線ケーブル１１の導体１６から雌コネクタ１２を通って接触子３０、接続端子２３および雄コネクタ１３を経て上側の幹線ケーブル１１の導体１７へと導電される。
その後、電力ケーブル接続部の接続構造１０の周りに２分割された絶縁カバー３７を組み立てて被せることで、電力ケーブル接続部の接続構造１０に対して、絶縁処理および保護処理が施される。その他の絶縁処理方法および保護処理方法として、(1) 例えば絶縁テープを巻き付けてから保護テープを巻き付ける方法、(2) 絶縁テープを巻き付けてから保護チューブ（収縮チューブなど）を装着する方法、(3) 保護ケースを装着し、この装着に際して保護ケース内にコンパウンドを充填する方法などを採用してもよい。
【００３６】
なお、その後のケーブル交換に際しては、これらの作業を逆に行うことで両ケーブル１１の接続を解除することができる。その後、新しい幹線ケーブル１１の接続を行う。
このように、ロック溝部２７にロックビス２８を挿入し、ロックスリーブ１８を、雌コネクタ１２と雄コネクタ１３との接続部分の周りに所定角度だけ回動させることで、電源側の幹線ケーブル１１と負荷側の幹線ケーブル１１とが接続される構成としたので、簡単かつ短時間で両ケーブル１１を機械的および電気的に接続することができる。しかも、直径が異なる両ケーブル１１同士の連結も可能となる。
また、ロック溝部２７をＬ字形状としたので、ロック溝部２７からロックビス２８が抜け難い。
【実施例２】
【００３７】
次に、図５を参照して、この発明の実施例２に係る電力ケーブル接続部の接続構造を説明する。
図５に示すように、この発明の実施例２に係る電力ケーブル接続部の接続構造１０Ａの特徴は、実施例１の両ロックビス２８に代えて、ばね力の作用により、ロックスリーブ１８の内周側から常時先部が突出されるピン５１を有した１対のプランジャ５０を採用し、また両ロック溝部２７に代えて、対応するピン５１の先部が掛合される断面略半球形状を有した１対の凹部５２を採用した点である。
【００３８】
両プランジャ５０は、ロックスリーブ１８の胴部の軸線方向の中間部のうち、その周方向へ１８０°の位相部分に形成され、先側の開口部分が若干小径な１対の貫通孔５３と、各貫通孔５３に挿入され、かつ先部が丸くて元部にフランジが形成された１対の前記ピン５１と、各貫通孔５３に挿入され、ばね力の作用により、対応するピン５１の先部だけを貫通孔５３の先側の開口から常時突出させる１対のコイルばね５４と、各貫通孔５３の元側の開口にねじ止めされる１対のねじ栓５５とを有している。
【００３９】
実施例２の電力ケーブル接続部の接続構造１０Ａにあっては、両コネクタ１２，１３の周方向において、対応するピン５１と凹部５２とを位置合わせする。その後、ロックスリーブ１８をその軸線方向へ直線的に移動させ、雌コネクタ１２と雄コネクタ１３との接続部分の周りにロックスリーブ１８を徐々に装着させて行く。これにより、ピン５１の先部が凹部５２に合致した位置で互いが掛合される。これにより、簡単かつ短時間で両ケーブル１１の機械的な接続を完了することができる。しかも、ロックスリーブ１８を回転させなくても両ケーブル１１の連結が可能となる。なお、前記凹部５２を、雌コネクタ１２の周方向に形成された環状の溝部とすれば、上述した対応するピン５１と凹部５２との位置合わせが不要になる。
その他の構成、作用および効果は、実施例１と略同じであるので説明を省略する。
【図面の簡単な説明】
【００４０】
【図１】この発明の実施例１に係る電力ケーブル接続部の接続構造を示す拡大断面図である。
【図２】この発明の実施例１に係る電力ケーブル接続部の接続構造を利用した幹線ケーブルの連結状態を示す正面図である。
【図３】この発明の実施例１に係る電力ケーブル接続部の接続構造の分解斜視図である。
【図４】この発明の実施例１に係る電力ケーブル接続部の接続構造を別の方向から見た分解斜視図である。
【図５】この発明の実施例２に係る電力ケーブル接続部の接続構造の要部拡大断面図である。
【符号の説明】
【００４１】
１０，１０Ａ  電力ケーブル接続部の接続構造、
１１  幹線ケーブル（電源側ケーブル，負荷側ケーブル）、
１２  雌側コネクタ（電源側コネクタ）、
１３  雄側コネクタ（負荷側コネクタ）、
１６，１７  導体、
１８  ロックスリーブ、
２７  ロック溝部、
２７ａ  溝口、
２７ｂ  縦溝部分、
２７ｃ  横溝部分、
２８  ロックビス（ロック突起）、
２９  突起押し付け手段、
５０  プランジャ、
５１  ピン、
５２  凹部、
５３  貫通孔。
【図１】
2007317408.tif 000003
【図２】
2007317408.tif 000004
【図３】
2007317408.tif 000005
【図４】
2007317408.tif 000006
【図５】
2007317408.tif 000007